(57)【要約】【課題】使用者が、公共トイレのようなストーマ袋の交換または廃棄に不適当な場所であっても、ストーマ袋の取外しの際に、ストーマ等からの滲出物が、周辺部等を汚染するリスクを低減することができ、かつストーマ袋の交換や廃棄を容易にできるストーマ袋処理装置を提供する。【解決手段】  −使用済ストーマ袋２０１を収容する仕切室１０３を形成する少なくとも一層のシート材料と、  −近位端（開口端）１１０と、  −閉塞した遠位端（底部端）１１１と、  −前記仕切室に連通する開口部１０４と、  −前記仕切室と前記開口部間の流体の連通を防止するために、前記近位端の開口部から遠位に配設された第一閉塞手段１０１とを有し、  −前記近位端は、使用者に固着するための固着手段１０６を備え、かつ前記固着手段は、使用者の肌表面と開口部を、気密防水となるように封止しうるように構成されていることを特徴とする、使用済ストーマ袋を廃棄するためのストーマ袋処理装置。【選択図】  図１
2015524696.tif 000002
【特許請求の範囲】
【請求項１】
−使用済ストーマ袋を収容する仕切室を形成する少なくとも一層のシート材料と、
−近位端（開口端）と、
−閉塞した遠位端（底部端）と、
−前記仕切室と流体が連通する開口部と、
−前記仕切室と前記開口部間の流体の連通を防止するために、前記近位端の開口部から遠位に配設された第一閉塞手段とを有し、
−前記近位端は、使用者に固着するための固着手段を備え、
前記固着手段は、使用者の肌表面と開口部を気密防水となるように封止しうるように構成されていることを特徴とする、使用済ストーマ袋を廃棄するためのストーマ袋処理装置。
【請求項２】
開口部が、環状となっている請求項１に記載のストーマ袋処理装置。
【請求項３】
開口部の周縁部に、使用中に開口部が圧潰するのを防止しうる硬化リングを備える請求項２に記載のストーマ袋処理装置。
【請求項４】
仕切室は、第一側壁と第二側壁により画成されている請求項１〜３のいずれかに記載のストーマ袋処理装置。
【請求項５】
開口部は、近位端に設けられている請求項１〜４のいずれかに記載のストーマ袋処理装置。
【請求項６】
固着手段は、ストーマ袋を使用者の肌表面に定着するための接着剤層である請求項１〜５のいずれかに記載の造設ストーマ袋処理装置。
【請求項７】
開口部は、使用者が装着するストーマ袋、および/またはストーマ覆い片を包囲するように構成されている請求項１〜６のいずれかに記載のストーマ袋処理装置。
【請求項８】
固着手段が、開口部の周縁部に設けられている請求項５に記載のストーマ袋処理装置。
【請求項９】
固着手段は、開口部の全周縁部に沿って設けられた環状接着剤層である請求項１〜８のいずれかに記載のストーマ袋処理装置。
【請求項１０】
ストーマ袋処理装置の仕切室が、さらに少なくとも１枚の使い捨て手袋、少なくとも１枚のウエットティッシュペーパー、少なくとも１枚の乾燥ティッシュペーパー、及び少なくとも１つの使い捨て清拭手段よりなる物品群のうちの１以上の物品を備えている請求項１〜９のいずれかに記載のストーマ袋処理装置。
【請求項１１】
第一閉塞手段は、開口部の内部周縁部に配設された第二接着剤層を備え、シート材料の内面を内部周縁部に固着させることにより、外部からの仕切室への流体の流入を防止しうるようになっている請求項１〜１０のいずれかに記載のストーマ袋処理装置。
【請求項１２】
ストーマ袋処理装置は、ストーマ袋処理装置をコンパクトに外覆するように、さらに少なくともストーマ袋処理装置の遠位端を内包するように形成された外袋を備えている請求項１〜１１のいずれかに記載のストーマ袋処理装置。
【請求項１３】
−使用済ストーマ袋を収容する仕切室を備えるストーマ袋処理装置を用意するステップと、
−前記ストーマ袋処理装置を使用者に定着するステップと、
−前記使用済ストーマ袋を使用者より取外すステップと、
−前記使用済ストーマ袋を前記ストーマ袋処理装置の前記仕切室に収容するステップと、
−前記使用済ストーマ袋を前記仕切室内部に密封し、および／または前記ストーマ袋処理装置を、使用者より取外すステップとを備える使用済ストーマ袋の取外し方法。
【発明の詳細な説明】
【技術分野】
【０００１】
本発明は、使用済ストーマ袋を廃棄するためのストーマ袋処理装置、および使用済ストーマ袋の取外し方法に関する。
【背景技術】
【０００２】
ストーマ袋は、たとえば特許文献１，２等により公知である。
一般に、消化管疾患の手術の場合、多くの患者には結腸瘻、回腸瘻あるいは人工膀胱といった腹部ストーマが取付けられる。すなわち、手術により、腸管あるいは尿路に、人工の排泄孔、すなわちストーマが設けられる。この人工の孔は、腸管あるいは尿管における生来の孔に、一時的あるいは恒久的に代わるものであり、糞便や尿といった体外排泄物の排出に使用される。
【０００３】
腹部に小孔すなわちストーマが設けられている患者は、通常、体外排泄物の自発的排出抑制機能を有していないため、多くの場合、体外排泄物を収容するストーマ袋が使用される。このストーマ袋は、体外排泄物が確実に収容されるように、前記小孔を包囲するように取付けられる。
【０００４】
結腸瘻あるいは回腸瘻の場合、ストーマ袋は、軟質の流動体、あるいは液体の排泄物を溜めるために使用される。排泄物の形態は、ストーマが腸管のどの部分に存在しているかによって定まっている。さらに、健常者と比較して、身体が排泄物を処理し終えていない初期段階で、排泄物が排出されるため、排泄物が身体から排出される際に、不快臭を発することがある。これは、不快な臭気を増大させる酸類、酵素類、バクテリア、あるいは他の化合物が、健常者と比較して、多量に排泄物中に存在することを意味する。
【０００５】
腹部ストーマからの排泄物の不快臭は、ストーマ袋製造業者が長年取り組んできた課題であり、ストーマ袋の素材を、不快臭を透過しないようなものとしたり、使用者の身体に、接着剤を介して取付けることにより、臭気が漏出しにくいようにしたストーマ袋を使用することなどが行われている。
【０００６】
ストーマ袋は、患者の身体に固定され、使用中に、ストーマ袋から、排泄物や不快臭が漏出することのないように、使用者の体におけるストーマの周囲に、耐水状態に密封封止される。
【０００７】
しかし、使用済ストーマ袋を、取外したり、または交換したりする際、使用者は、密封耐水性シール部を破断し、ストーマを、周囲の外気に曝さなくてはならない。使用者がストーマ袋を身体から取外した時、ストーマの周囲の肌表面、および／または腹部のストーマの表面より突出している部分には、排泄物が残留している。したがって、使用者は、残留排泄物が、周囲の皮膚に炎症や損傷を引き起こすことを防止したり、あるいは軽減したりするべく、ストーマ及びその周辺部を清拭する必要がある。前記清拭作業は、ストーマの周囲の皮膚は、ストーマから出る排出液に対して非常に敏感であり、また、使用者が合併症を引き起こす主要因であるため、使用者にとって重要なことである。
【０００８】
通常、使用者は、化粧室に入る場合、清拭キットを携帯している。この清拭キットは、通常、ストーマを清拭し、その後乾燥させるためのウエットティッシュ、及び乾燥ティッシュペーパーを備えている。使用者は、ストーマ及びストーマ袋を覆う衣類を取り除くか、あるいは移動させ、続いてストーマ袋を肌表面より取外して、ストーマを露出させる。ストーマ袋を取外すと、まず、ストーマと、その周辺部からの残留排出液や排泄物の除去を容易にするためにウエットティッシュを用いて、ストーマと、その周辺部を清拭する。さらに、前記部分を軽く拭って乾かした後、使用済のストーマ袋を、新しいストーマ袋と交換する。
【０００９】
ストーマの清拭手順は、時間を要する難しいものであり、特に、使用者がストーマ袋の清拭に必要な道具や材料を手近に置くことができない公共の化粧室、あるいは公衆トイレにおいて清拭を行う場合には、なおさらである。したがって、使用者がストーマを清拭するのに有用な物品のキットには、ウエットティッシュ、および／または使用済ストーマ袋廃棄用の袋までもが含まれている場合がある。化粧室には、ストーマの清拭中に廃棄物処理袋を置く洗面台、流し台、あるいはその他の場所を備えていないこともある。この場合、使用者は、ストーマの清拭の間、廃棄物処理袋を、便器の蓋の上、あるいは床の上など、ストーマから離れた場所に置く必要があり、不便である。
【００１０】
このように廃棄物処理袋を配置すると、使用者が、清拭布をストーマから廃棄物処理袋に移動させる際に、使用者の衣類が汚染されるリスクは増大し、また、使用済清拭布、あるいは露出したストーマが、使用者の衣類、あるいは周辺部を汚染するリスクがあるので、使用者にとっては不都合である。
【００１１】
したがって、使用者が、公衆トイレのようなストーマの清拭に適する場所、あるいは環境下にない場合に、汚染リスクを低減させるように、使用済ストーマ袋、および／またはストーマ袋の交換を容易にするように改良する必要がある。
【先行技術文献】
【特許文献】
【００１２】
【特許文献１】デンマーク国特許出願PA201200552公報
【特許文献２】デンマーク国特許出願PA201200483公報
【発明の概要】
【発明が解決しようとする課題】
【００１３】
本発明は、前記した現況に鑑みてなされたもので、使用者が、公共トイレのようなストーマ袋の交換または廃棄に不適切な施設においても、あるいはトイレ施設が利用できない場所にあっても、ストーマ袋の取外しの際に、ストーマあるいは使用済ストーマ袋からの滲出物が、使用者あるいはその周辺部を汚染するリスクを低減させることができ、かつストーマ袋の交換や廃棄を容易にできる使用済ストーマ袋処理装置を提供することを目的としている。
【課題を解決するための手段】
【００１４】
本発明によると、上記課題は、次のような手段により、解決される。
すなわち、少なくとも使用済ストーマ袋を収容する仕切室を形成している一層のシート材料と、近位端（開口端）と、閉塞した遠位端（底部端）と、前記仕切室に連通する開口部と、前記仕切室と前記開口部間の流体の連通を防止するために、前記近位端の開口部から遠位に配設された第一閉塞手段とを有し、前記近位端は、使用者に取り付けるための固着手段を備え、かつ前記固着手段は、使用者の肌表面と開口部を、気密防水性となるように封止しうるように構成して、使用済ストーマ袋を廃棄するためのストーマ袋処理装置とする。
また、本発明の好ましい形態は、下記のとおりである。
【００１５】
開口部は、近位端に設けられ、環状開口となっている。また、開口部の周縁部が開口部の使用中の圧潰を防止することができる硬化リングを備えている。開口部は、使用者が装着するストーマ袋、および/またはストーマ覆い片を包囲しうるように構成されている
【００１６】
固着手段は、ストーマ袋を使用者の肌表面に固着するための接着剤層であり、開口部の全周縁部に沿って設けられた環状接着剤層となっている。
【００１７】
仕切室は、第一側壁と第二側壁よりなり、さらに少なくとも１枚の使い捨て手袋、少なくとも１枚のウエットティッシュペーパー、少なくとも１枚の乾燥ティッシュペーパー、及び少なくとも１つの使い捨て清拭手段よりなる群のうち１つ以上の物を備えている。
【００１８】
第一閉塞手段は、開口部の内部周縁部に配設された第二接着剤層を備え、シート材料の内面を内部周縁部に固着させることにより、外部からの仕切室への流体の流入を防止しうるようになっている。また、使用済ストーマ袋処理装置は、この処理装置をコンパクトに覆うように、少なくともストーマ袋処理装置の遠位端を内包するように形成された袋を備えている。
【００１９】
また、本発明は、使用済ストーマ袋を収容する仕切室を備えるストーマ袋処理装置を用意するステップと、前記ストーマ袋処理装置を使用者に固着するステップと、前記使用済ストーマ袋を使用者より取外すステップと、前記使用済ストーマ袋を前記ストーマ袋処理装置の仕切室に収容するステップと、前記使用済ストーマ袋を前記仕切室内部に密封し、および／または前記使用済ストーマ袋処理装置を、使用者より取外すステップを備える使用済ストーマ袋の取外し方法をも提供するものである。
【発明の効果】
【００２０】
本発明のストーマ袋処理装置は、使用者が、公共トイレのようなストーマ袋の交換または廃棄に不適当な施設においても、あるいはトイレ施設が利用できない場所においても、ストーマ袋の取外しの際に、ストーマあるいは使用済のストーマ袋からの滲出物が、使用者あるいは周辺部を汚染するリスクを低減させることができ、かつストーマ袋の交換や廃棄を容易に行うことができるものである。
【図面の簡単な説明】
【００２１】
【図１】本発明の一実施形態によるストーマ袋処理装置の斜視図である。
【図２】ストーマの近傍における、図１に示すストーマ袋処理装置の正面図である。
【図３】図１に示すストーマ袋処理装置が、使用者に装着されている状態を示す図である。
【図４】図１に示すストーマ袋処理装置において、仕切室が封止されている状態を示す図である。
【図５】図１に示すストーマ袋処理装置において、その一部が外袋に収容されている状態を示す図である。
【図６】ストーマ袋処理装置の別の実施形態を示す正面図である。
【図７】ストーマ袋処理装置のさらに別の実施形態を示す斜視図である。
【図８】図７に示すストーマ袋処理装置が、使用者に装着されている状態を示す正面図である。
【図９】図７に示すストーマ袋処理装置が使用者に装着されている状態を示す側面図である。
【発明を実施するための形態】
【００２２】
以下、本発明を図面に基づいて説明する。
図１は、本発明の一実施形態によるストーマ袋処理装置１００の斜視図であり、ストーマ袋処理装置が、この装置１００の近位端（開口端）１１０から遠位端（底部端）１１１にかけて伸び、長手軸１１２に沿って畳まれている状態を示す。このストーマ袋処理装置は、使用済ストーマ袋（図示せず）を収納する仕切室１０３を形成する第一側壁１０２と第二側壁１１４とを備えている。ストーマ袋処理装置１００は、１以上の引き紐状の閉塞手段１０１を備え、この閉塞手段１０１は、閉塞している内部仕切室１０３からの滲出物や臭気の漏れを、防ぎおよび／または低減させるため、ストーマ用処理装置１００の仕切室１０３を気密防水となるように密封するようになっている。開口部１０４から第一閉塞手段１０１までの長さは、近位端１１０から遠位端１１１までの長さの少なくとも１／４あるいは１／３であることが好ましい。また、遠位端１１１から第一閉塞手段１０１までの長さは、近位端１１０から遠位端１１１までの長さの少なくとも１／５，１／４あるいは１／３よりも長いことが好ましい。
【００２３】
本実施形態においては、ストーマ袋処理装置１００は、ストーマ袋処理装置１００の遠位端１１１、第一側壁１０２及び第二側壁１１４を有する外袋１０８を備えている。外袋１０８は、この外袋１０８が、造設ストーマ用処理装置１００の使用前、使用中、および／または使用後に、遠位端１１１より脱離しないように、遠位端１１１に取付けられていてもよい。外袋１０８の近位端１１３は、引き紐状の閉塞手段１０５を備えていてもよく、この閉塞手段は、図５に示すように、使用済ストーマ袋を仕切室１０３に収容し、その近位端１１０が外袋の内部に畳み込まれた時に、外袋１０８の内部空間を密封するようになっている。
【００２４】
ストーマ袋処理装置１００の近位端１１０である開口部は、図２において詳細を図示するように、仕切室１０３に向けて開口する開口部１０４の周縁部に沿って、接着剤からなる固着手段１０６を備えていてもよい。使用者は、ストーマ袋処理装置１００をストーマ袋２０１の近傍に配置し、固着手段１０６より剥離ライナー２０３を取り除くことによりストーマ袋処理装置１００を使用可能とする。
【００２５】
ストーマ袋処理装置１００は、図３に示すように、ストーマ袋（ストーマ装具）２０１の近傍に配置される。開口部１０４及び固着手段１０６は、覆い片（面板）２１１の周縁よりわずかに下に位置する、使用者の肌の表面に取付けられる。ストーマ袋２０１を取外した際、重力により、ストーマ袋２０１がストーマ袋処理装置１００の仕切室１０３内に確実に送り込まれるように、ストーマ袋２０１は、ストーマ袋処理装置１００の開口部１０４内に部分的に収容されていてもよい。
【００２６】
図４は、ストーマ２１０、および／または使用者の覆い片２１１よりストーマ袋２０１を取り外した際のストーマ袋処理装置１００を示す。ストーマ袋２０１は、使用済のストーマ袋からの滲出物が、仕切室内に確実に留まるように、仕切室１０３内に収容されている。閉塞手段１０１が使用される場合、仕切室内の空気及び液体が開口部と接しないように、閉塞手段が仕切室１０３を開口部１０４から封止するので、仕切室１０３の内容物は確実に仕切室内に留まる。この閉塞手段１０１による閉塞は、ストーマ袋処理装置１００が固着手段１０６により身体に取付けられている間に、あるいはストーマ袋処理装置１００を身体より取外した後に行われる。
【００２７】
前記閉塞手段１０１の閉塞に続き、図５に示すように、ストーマ袋処理装置１００を身体より取外し、第一側壁１０２及び第二側壁１１４が外覆袋の中に完全に収容されるように、閉塞された仕切室及び近位端（開口部）１１０を、外覆袋１０８の収容空間に畳み込む。続いて閉塞手段１０５が、外袋１０８の収容空間を閉塞するために使用され、ストーマ袋処理装置１００の開口部、あるいはその付近、あるいは第一側壁又は第二側壁に付着している浸出液や汚れが、外袋１０８の内部に封止され、小包装物として容易に廃棄しうる状態となる。これにより、使用者は、ストーマの浸出液による二次汚染、および／または公共の場における不快臭の発生の虞なく、廃棄物収容容器に廃棄可能な衛生的な小包装物とすることができる。
【００２８】
図６は、本発明の別の実施形態を示し、図１〜図５と同様に、ストーマ袋処理装置３００が示されているが、外袋１０８は取り除かれている。図１〜図５中のストーマ袋処理装置１００の諸部材の符号は、ストーマ袋処理装置３００にも適用されている。本装置は、図１〜図５と同様の方法で使用される。すなわち、ストーマ袋２０１を、仕切室１０３の内部に収容し、閉塞手段１０５により、仕切室１０３の開口部１０４を封止する。この封止は、気密防水性であり、ストーマ袋処理装置３００の使用後、仕切室１０３の内部収容部からの液体及び気体の汚染物の漏出を確実に防ぐことができる。
【００２９】
図１〜図６に示す装置は、使用者がストーマ袋の廃棄及び清拭に好適な設備を利用できない不慣れな環境において、ストーマ袋を交換する際に特に有益である。
【００３０】
図７は、ストーマ袋処理装置のさらに別の実施形態を示し、このストーマ袋処理装置４００の開口部４０４は、全周縁に接着剤層４０６を設けた環状開口部となっている。このストーマ袋処理装置４００は、ストーマ袋処理装置４００の近位端４１０から遠位端４１１に亘るストーマ袋処理装置４００の長手方向軸４１２に沿って畳まれている。この装置は、図１〜図６に示す第一閉塞手段と同様の機能を有し、ストーマ袋処理装置４００の仕切室４０３が気密防水となるように封止し、廃棄物が充填された際、仕切室の内容物が、確実に仕切室４０３内に収容されるようにする閉塞手段４０５を備えている。
【００３１】
ストーマ袋処理装置４００の開口部４０４は、環状周縁部を有する環状開口部４０４であり、このストーマ袋処理装置４００の開口部は、流体が、外部から収容空間すなわち仕切室４０３内に流入しうるように、仕切室４０３内と連通している。開口部４０４の周縁部は、開口部４０４の全周縁部に沿う環状接着剤層４０６を備えている。
【００３２】
図８及び図９は、それぞれストーマ袋処理装置４００の正面図及び側断面図であり、環状開口部４０４は、環状開口部４０４の周縁に配された環状接着剤層４０６により、使用者の肌に固着されている。ストーマ袋処理装置４００の開口部４０４を、ストーマ袋２０１の周囲に配置し、ストーマ袋２０１を、ストーマ袋処理装置４００の内部収容空間、すなわち仕切室４０３、あるいは仕切室４０３に連通する収容空間に収容しうるようになっている。ストーマ袋２０１の内容物を外気に曝すことなく、確実にストーマ袋２０１を身体より取り外すことができるように、開口部４０４と使用者の肌表面は、環状接着剤層４０６により、気密防水となるようにシールされている。したがって、使用済の装具から漏出する臭気により、公衆トイレあるいは同様の場所の空気が汚染され、使用者が困惑したり、不快な悪い思いをすることは防がれる。
【００３３】
したがって、ストーマ袋処理装置４００は、ストーマ２１０及びストーマ袋２０１を外気から分離し、ストーマ袋が肌表面２１２から取外される際、汚染物が確実にストーマ袋処理装置４００の内部収容空間に収容された状態を保つことができる。ストーマ袋２０１を肌表面２１２から取外した際、ストーマ袋が仕切室４０３に収容され、仕切室４０３の内容物が、仕切室４０３内に確実に保持されるようにするため、閉塞手段４０５を使用する。
【００３４】
本発明に係るストーマ袋処理装置４００の他の実施形態においては、図１〜図５で示したものと同様に、外袋１０８は、ストーマ袋処理装置４００の遠位端４１１に取付けられ、図１〜図５に示したものと同じ要領で機能を果たす。
【００３５】
ストーマ袋処理装置は、使用済ストーマ袋が開口部よりストーマ袋処理装置の仕切室に直接廃棄されるように、使用者に取付けられる。ストーマ袋処理装置は、使用済ストーマ袋の取外しを容易にする。ストーマ袋処理装置の開口部は、使用者に取付けられた覆い片の近傍に配置され、好ましくは、開口部とストーマ袋間の距離が可及的に短かくなるように、接着性覆い片の下部において、使用者に取付けられる。これにより、ストーマ袋の取外しの際に、ストーマ袋あるいは使用済の袋からの滲出物が、使用者あるいは周辺部を汚染するリスクを低減させることができる。
【００３６】
使用者は、ストーマ袋を身体より取外して、ストーマ袋処理装置の仕切室に入れ、さらにウエットティッシュおよび／または乾燥ティッシュペーパーを用いて、ストーマ袋周辺部及びストーマ袋を清拭し、前記ティッシュペーパーをストーマ袋処理装置の仕切室に直接入れる。使用者が、ストーマ袋の取外しを終え、未使用のストーマ袋を取付けうる状態になると、ストーマ袋処理装置の仕切室を封止手段により閉塞し、仕切室内部の臭気、ガスおよび／または液体が、仕切室内に留まるように、汚染物を仕切室内に封止する。
【００３７】
続いて、ストーマ袋処理装置を取外し、ストーマ袋処理装置を、ごみ収納容器、あるいは他の適切な廃棄場所に廃棄する。
【００３８】
ストーマ袋処理装置の使用により、使用者は、公共の化粧室のようなストーマ袋の交換、および／または廃棄に不適当な施設においても、あるいはトイレ施設が利用できない場所においても、ストーマ袋を容易に廃棄できる。使用者がストーマ袋の交換に不適当な施設内にいる場合、ストーマ袋及びその周辺部を清拭する間、使用済ストーマ袋を、例えば便座、地面、他の利用可能な面に配置せざるを得ない場合がある。前記のように配置するには、使用者は、腰を屈める必要があるが、この屈める行為により、衣類あるいは肌がストーマに押し付けられるため、未清拭ストーマが、使用者の衣類や、肌表面を汚染するリスクが増大する。
【００３９】
さらに、ストーマ袋処理装置が使用者に取付けられる際、使用者は、ストーマ袋を取外し、かつストーマ袋を清拭するために、両手を空けておくことができる。これは、従来の廃棄物処理袋の場合とは異なっている。従来の処理袋の場合は、使用者が使用済ストーマ袋を取外す際に、廃棄物処理袋をストーマに近接して配置したい場合、使用者がストーマに近接して保持する必要がある。
【００４０】
したがって、使用者は、使用済ストーマ袋を確実に廃棄し、汚染されたストーマ袋の移動距離を大幅に短縮することができる。また使用者は、ストーマ袋の交換の間、実質的に同じ体位を保つことができる。
【００４１】
使用者が公衆トイレやトイレ室にいるような状況においては、使用済みのストーマ袋を使用者の身体から分離した際に、ストーマ袋から漏出する臭気が、ストーマ袋処理装置の内部に留められて、臭気が公共の場において、使用者に不要な困惑を与えることのないことが好ましい。したがって固着手段は、肌表面と開口部、すなわちストーマ袋の仕切室との間が耐水状態に封止されるように構成されている。すなわち、使用者は、ストーマ袋処理装置が、ストーマ袋と可能であれば覆い片も併せ収容しうるように、ストーマ袋処理装置を使用済ストーマ袋の周辺に配置することができる。したがって、ストーマ袋は、周囲から密封分離されるので、ストーマ袋処理装置は、ストーマ袋と肌表面、および／または覆い片との封止が失われた場合にも、滲出物の臭気を、ストーマ袋処理装置内に封じ込めることができる。
【００４２】
続いて、取外されたストーマ袋は、ストーマ袋処理装置の仕切室内に収容され、使用済ストーマ袋を収容した仕切室を閉塞するためにシールされる。これにより、ストーマ袋内の滲出物が発する臭気は、仕切室内に確実に封止される。引き続いて、ストーマ袋処理装置は使用者より取り外され、使用者の肌表面と開口部間の気密防水状態の封止は解かれる。
【００４３】
すなわち、使用者は、使用済ストーマ袋を外気に露出させず、不快臭が大気に放出されるリスクが低減された状態で、ストーマ袋を交換することができる。
【００４４】
本発明の趣旨の範囲内では、覆い片あるいはフランジは、使用者の肌表面と同義である。覆い片は、長期使用され、使用済ストーマ袋の交換の都度交換することは意図されていない。前記長期使用型の覆い片は、ストーマ袋が覆い片よりも高い頻度で交換される２部材からなる装具において使用される。したがって、固着手段は、ストーマ袋が交換の際に覆い片から分離しうる場合には、覆い片に取付けられる。
【００４５】
本発明の一実施形態においては、開口部は、環状開口部となっている。仕切室の開口部は、１つまたは２つの袋壁から形成され、環状開口部として形成される。環状開口部は、開口部がその極限位置まで延伸される場合には環状であり、ストーマ袋及び場合によっては覆い片は、どの方向からでも開口部を介して仕切室に収容されることができる。すなわち、もしストーマ袋の最長軸が開口部の径方向軸と実質的に並行でない場合でも、ストーマ袋がどのような角度に向いているかということは問題とならない。
【００４６】
本発明の一実施形態においては、開口部の周縁部には、使用中の開口部の圧潰を防止することが可能な硬性リングが設けられる。硬性リングは、弾性形状記憶素材よりなり、収納の際には、屈曲あるいは圧潰されているが、ストーマ袋が使用される際は、開口部を安定的に保持し、および／または利用可能とするために、記憶されている形状に復元する。
【００４７】
本発明の一実施形態においては、仕切室は、第一側壁と第二側壁とにより形成されている。第一側壁及び第二側壁は、共に仕切室を形成するように両壁の周縁部において結合されている。第一側壁及び第二側壁は、前壁及び後壁となり、ストーマ袋処理装置の使用時は、後壁は使用者に対向し、前壁は使用者の外方を向く。
【００４８】
本発明の一実施形態においては、近位端は開口部を備えている。近位端に近接して開口部を設けることにより、ストーマ袋処理装置の容量を最大とすることが可能となる。開口部は、袋の遠位端から離れて設けられ、これにより、仕切室の大きさ、すなわち近位端と遠位端間の距離が、袋の大きさに基づき最大となる。閉塞手段は、閉塞手段による封止により、使用済ストーマ袋が仕切室内に確実に収容され、それにより、仕切室から開口部への流体の漏洩を確実に防止するように、遠位端と開口部の間に設けられる。
【００４９】
本発明の一実施形態においては、固着手段は、ストーマ袋を使用者の肌表面に取付ける接着剤の層である。使用者がストーマ袋を取外す際、多くはストーマ袋から完全に衣類を取り除くか、あるいは衣類をストーマ袋から押しのけることにより、ストーマ袋を覆う衣類を取り除く必要が生じることがある。したがって、使用者の肌表面は露出し、固着手段の固着面として利用される。すなわち、使用者は、ストーマ袋処理装置をストーマ袋の近傍、たとえば覆い片の下に固着する。これは、ストーマ袋が身体から分離する時に、ストーマ袋処理装置の仕切室内に、ストーマ袋がたとえば部分的に収容されることを意味する。すなわち、使用者がストーマ袋の把持を失った場合にも、ストーマ袋は単にストーマ袋用処理装置の仕切室内に落下するだけであって、地面に落下することはないため、汚染のリスクは低減する。
【００５０】
接着剤層は、接着帯片の形状となっており、接着片端部と開口部周縁の間にわずかな空間が設けられるように、開口部の周縁近くに配置されている。すなわち、ストーマ袋処理装置が使用者の身体に取付けられた際に、ストーマ袋処理装置が、開口部と接着片の間の領域において汚染されるリスクを最小とするため、開口部の周縁は、使用者の肌表面に近接して配置される。本発明の一実施形態においては、接着片は、接着面が袋の開口部周縁のごく近傍となるように配置されている。
【００５１】
本発明の一実施形態においては、開口部は、ストーマ袋および／または使用者に装着された覆い片を包囲するようになっている。すなわち、開口部の大きさは、ストーマ袋あるいは覆い片を包囲できる大きさであり、ストーマ袋処理装置の仕切室にストーマ袋を配置するために、覆い片を屈曲させたり撓めたりすることなく、覆い片全体を開口部を介して容易に収容することができる。覆い片（フランジ）の大きさは、業者により異なるが、開口部は、５０〜３００ｍｍの大きさとするのが望ましく、より具体的には６０〜２５０ｍｍ、７０〜２３０ｍｍ、８０〜２１０ｍｍ、９０〜１９０ｍｍ、１００〜１７０、約１５０ｍｍのいずれかの大きさである。
【００５２】
本発明の一実施形態においては、開口部の直径は、仕切室の内径よりも小である。別の実施形態においては、開口部の直径は、仕切室の内径と同寸である。さらに別の実施形態においては、開口部の直径は、仕切室の内径よりも大である。
【００５３】
本発明の一実施形態においては、固着手段は、開口部の周縁部に配設されている。固着手段を開口部の周縁部に配設することにより、固着手段と開口部の間に壁材が存在せず、意図された領域、すなわち開口部以外の領域において、ストーマ袋処理装置が汚染されるリスクが低減する。すなわち、ストーマ袋処理装置を使用者の身体に取付けた時に、開口部と固着手段の間の領域において、開口部周縁が使用者の肌表面に近接するため、ストーマ袋処理装置が汚染されるリスクはなくなる。
【００５４】
固着手段は、たとえば機械的固着手段、および鉤形結合部品を用いて衣類に、たとえばズボンのウエスト部やそれに類する個所に取付けることのできるホックおよび／またはリング状部材のようなものであってもよい。さらに固着手段は、ベルトを挿通しうる孔、あるいは、ストーマ袋処理装置を、衣類の挿通可能な部分（ベルトの孔）や、ズボンの胴周り、あるいはそれに類する個所に取付けうるような係止部材、あるいはそれに類するものであってもよい。固着手段は、さらに、肌表面、覆い片の外面、衣類の表面のような、使用者が利用しうる表面に固着手段を固着させることができる接着面を有する接着剤層であってもよい。さらに、使用者が、ストーマ袋処理装置を使用者の身体に取付けたくない場合には、固着手段は、トイレ個室の壁面、流し台、便器のような、使用者の周囲の面にストーマ袋処理装置を固着できるような種類のものであってもよい。前記固着手段は、たとえば、接着面に固着してストーマ袋処理装置とその内容物の重量に充分耐え、しかも過度の力を要することなく、接着面から容易に取外しうる程度の粘着度を有する接着剤層であるのがよい。このような粘着度は、使用者がストーマ袋処理装置を、自分自身、たとえば肌表面から取外す際に、痛みを感じるおそれを最小とするために、使用者に固着される接着剤層においても考慮されるべきである。
【００５５】
本発明の一実施形態においては、第一閉塞手段は、シート材料の内面が内周縁部に固着して、外部から仕切室へ流体が流入するのを阻止するように、開口部の内周縁部に第二接着剤層が設けられている。すなわち、第二接着剤層は露出し、ストーマ袋処理装置の逆側のシート材料（外覆袋を使用者に取付けた場合に外方を向くシート材料）の内面により、使用済ストーマ袋を内包する仕切室、及び開口部からの流体の流入を確実に防止しうるように、接着面に適用される。
【００５６】
本発明の一実施形態においては、固着手段は、開口部の全周縁部に沿って延在する環状接着剤層である。前記環状接着剤層は、使用者の肌表面に覆い片を包囲するように固着される。このため、環状接着剤層及び開口部は、ストーマと使用済ストーマ袋を内包し、環状接着剤層は、使用者の肌表面とストーマ袋処理装置の間を、気密防水状態で封止する。環状接着剤層は、環状接着剤層とストーマ袋処理装置の接合が確実に気密防水となるように、ストーマ袋処理装置に溶着、固着あるいは接着される。
【００５７】
このため、使用者は、ストーマ袋の自由端を、ストーマ袋処理装置の開口部に導入して、ストーマ袋を、仕切室内に収容することが可能となる。続いて、使用者は、環状接着剤層を覆い片の周囲に配置し、環状接着剤層を開口部の全周縁に沿って使用者の肌表面に貼付する。環状接着剤層は、ストーマ袋処理装置と使用者の肌表面との間を封止する。取付後、使用者は、ストーマ袋を身体より取外す作業を開始する。この取外し作業は、ストーマ袋処理装置の両壁面を介して行われる。ストーマ袋処理装置の両壁は、使用者が、取外し作業の間にストーマ袋処理装置の内部を見ることができるように、透明であってもよい。使用済のストーマ袋は、身体から分離される際、ストーマ袋処理装置の閉鎖端方向に仕切室内に移動し、続いて、使用済の汚染されたストーマ袋を、仕切室内部に収容して、閉塞手段が使用される。引き続いて使用者は、環状接着剤層を肌表面から取外し、ストーマ袋処理装置を身体から取り除く。このようにして、使用済ストーマ袋は、使用者の身体から取り除かれ、使用済ストーマ袋は、外気に露出することがなく、きまりが悪く不快な臭気により生ずる不都合を低減させることができる。
【００５８】
あるいは、環状接着剤層を、ストーマ袋周囲において、覆い片の外面に設けても、上記と同様の効果が奏せられる。
【００５９】
本発明の一実施形態においては、ストーマ袋処理装置の仕切室は、少なくとも１枚の使い捨て手袋、少なくとも１枚のウエットティッシュペーパー、少なくとも１枚の乾燥ティッシュペーパー、及び少なくとも１つの使い捨て清拭材よりなる群のうちの１以上の物品を備えている。すなわち、このストーマ袋処理装置は、使用済ストーマ袋の取外し、および／あるいは露出したストーマ袋の清拭に有用な付属品と共に提供される。仕切室内部に前記物品を設けることにより、使用者にとっては、使用済ストーマ袋を廃棄するために、ストーマ袋処理装置を使用する際に、前記物品が常に使用し易くなる。使い捨て手袋は、使用者の手が残留滲出物により汚染されることを防止しおよび／または使用者の手から、ストーマ袋への、あるいはストーマ袋から使用者の手へのバクテリアの移動を防止するために使用される。ティッシュペーパーを仕切室の内部に設けると、患者は、ストーマ袋処理装置を患者に取付ける際に、前記物品を容易に利用できる。さらに、前記物品を仕切室内部に設けることにより、使用者は、取外しの間に、ストーマ袋処理装置中に使用済ストーマ袋を封止した状態で、ストーマを清拭することができる。ストーマ袋処理装置の仕切室内部に臭気を封止する間に、ストーマは清拭される。したがって、ストーマ袋内部、またはストーマおよび／あるいはその周囲からの滲出物からの臭気を漏出させることなく、使用済ストーマ袋の取外しと、ストーマの清拭を行うことができる。
【００６０】
前記物品は、仕切室内部の１以上の小ポケット内に配置される。ポケットは開口しており、前記物品の取外し、あるいは清拭の際に、必要に応じて、ポケットから容易に取り出すことができる。
【００６１】
本発明の一実施形態においては、さらに、ストーマ袋処理装置は、これをコンパクトに包含しうるように、少なくともストーマ袋処理装置の遠位端を内包するようになっている外袋を備えている。すなわち、ストーマ袋処理装置の遠位端は、さらに外袋を備え、外袋の内面は、遠位端の外面に取付けられ、外袋は、ストーマ袋処理装置をコンパクトに折り畳んで、外袋の内部に収容しうるようになっている。すなわち、外袋は、未使用のストーマ袋処理装置を、カプセル封止しておくために使用される。使用者は、使用の準備をする際に、ストーマ袋処理装置を広げる。外袋は、使用済ストーマ袋処理装置を収容するために使用される。使用済のストーマ袋を、ストーマ袋処理装置に収容した後に、ストーマ袋処理装置は、コンパクトに折り畳まれ、外袋に内包される。
【００６２】
本発明の一実施形態においては、外袋の開口部の近傍に、第二閉塞手段を備えている。したがって、使用済ストーマ袋処理装置を外袋内に折り畳んだ際、外袋は、ストーマ袋処理装置を汚染する虞のある残留ストーマ滲出物が、外袋内に確実に隔離されるように、第二閉塞手段により閉塞される。これにより、たとえば使用者が、使用済のストーマ袋を交換する廃棄設備がない場合に、廃棄の前に、コンパクトに折り畳まれたストーマ袋処理装置を衛生的に持ち歩くことができる。
【００６３】
第一及び第二閉塞手段は、引き紐、あるいはストラップ、たとえば伸縮自在、あるいは弾性の引き紐、あるいはストラップを備えているのがよい。さらに、前記閉塞手段は、ストーマ袋処理装置の仕切室を封止したり、外袋の開口端を閉塞することができる接着剤であってもよい。
【００６４】
本発明によれば、次の手順よりなる使用済ストーマ袋の取外し手段が提供される。使用済ストーマ袋を収容する仕切室を備えるストーマ袋処理装置を用意し、ストーマ袋処理装置を使用者に取付け、使用済ストーマ袋を使用者から取外し、使用済ストーマ袋をストーマ袋処理装置の仕切室内に収容し、使用済ストーマ袋を仕切室の内部に封入し、および／または使用済ストーマ袋を使用者から取外す。
【００６５】
本発明によれば、請求項に記載のストーマ袋処理装置を具備するストーマ袋が提供される。すなわち、このストーマ袋処理装置は、使用者がストーマ袋処理装置を必要とする際、ストーマ袋処理装置が既に使用者の身体に取付けられたストーマ袋の一部となっているようにするため、恒久的あるいは一時的に、ストーマ袋に取付けられている。
【００６６】
本発明の一実施形態においては、ストーマ袋処理装置は、仕切室の内部より、外気への通気を可能にするエアーフィルタを備えている。このフィルタは、空気がフィルタを通過する際に、仕切室内の排泄物あるいは滲出物からの不快臭を低減することができるようなものであるのがよい。前記フィルタは、特にストーマ袋内からの空気の質を改善するようになっているストーマ袋フィルタ（Coloplast Filtrodor（登録商標） Ostomy Pouch Filter）、あるいはその他の適切なフィルタ、例えば活性炭フィルタであってもよい。
【００６７】
本発明の一実施形態においては、第一閉塞手段はストーマ袋処理装置の開口部の下方、かつ遠位端の上方、外袋の総長の少なくとも４分の１、あるいは３分の１程度に少し離れた所に配置される。第一閉塞手段が、遠位端の上方に、外袋の総長の少なくとも５分の１、４分の１、あるいは３分の１程度に少し離れて配置することも好ましいことである。ストーマ袋処理装置の総長は、ストーマ袋用処理装置の近位端から遠位端までの距離である。
【００６８】
本発明の一実施形態においては、ストーマ袋処理装置は、仕切室の内部収容空間に連通する、ストーマ袋処理装置の第一側壁、あるいは第二側壁に設けられた入口あるいはバルブを備えている。前記入口は、例えばティッシュペーパー、クリーム、または他の有用な物品を、必要に応じ、入口を介して仕切室内に収容するために使用される。
【符号の説明】
【００６９】
１００  ストーマ袋処理装置
１０１  閉塞手段
１０２  第一側壁
１０３  仕切室
１０４  開口部
１０５  閉塞手段
１０６  固着手段
１０８  外袋
１１０  近位端（開口部）
１１１  遠位端（底部）
１１２  長手軸
１１３  近位端
１１４  第二側壁
２０１  ストーマ袋
２０３  剥離ライナー
２１０  ストーマ
２１１  覆い片
２１２  肌表面
３００  ストーマ袋処理装置
４００  ストーマ袋処理装置
４０３  仕切室
４０４  開口部 
４０５  閉塞手段
４０６  接着剤層 
４１０  近位端（開口部）
４１１  遠位端（底部）
４１２  長手軸
【図１】
2015524696.tif 000003
【図２】
2015524696.tif 000004
【図３】
2015524696.tif 000005
【図４】
2015524696.tif 000006
【図５】
2015524696.tif 000007
【図６】
2015524696.tif 000008
【図７】
2015524696.tif 000009
【図８】
2015524696.tif 000010
【図９】
2015524696.tif 000011
【国際調査報告】
2015524696.tif 000012
2015524696.tif 000013